【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
歩行者の横断支援を実行する交通信号制御機であって、
筐体と、前記筐体に収容された制御部とを備え、
前記制御部は、
前記歩行者の携帯端末と無線通信する前記筐体外の通信部から、交差点の複数の横断方向の中から前記歩行者が選択した横断方向を受信する処理と、
受信した横断方向に関する、下記に定義する第１支援及び第２支援の少なくとも１つの横断支援と、を実行する交通信号制御機。
第１支援：歩行者が選択した横断方向についての歩行者青時間の延長
第２支援：歩行者が選択した横断方向についての青待ち時間の短縮
【請求項２】
前記制御部は、
前記交差点の複数の横断方向のうち、少なくとも受信した横断方向についての青待ち時間及び青残り時間を含む信号情報を算出する処理と、
算出した前記信号情報を前記通信部に送信する処理と、を実行する請求項１に記載の交通信号制御機。
【請求項３】
前記制御部が算出する前記信号情報には、
前記横断支援を実行する前のステップ秒数に基づく信号情報が含まれる請求項２に記載の交通信号制御機。
【請求項４】
前記制御部が算出する前記信号情報には、
前記横断支援を実行した後のステップ秒数に基づく信号情報が含まれる請求項２又は請求項３に記載の交通信号制御機。
【請求項５】
歩行者の横断支援を実行する交通信号制御機であって、
筐体と、前記筐体に収容された制御部とを備え、
前記制御部は、
前記歩行者の携帯端末と無線通信する前記筐体外の通信部に、交差点の複数の横断方向ごとの歩行者青の最大延長時間を送信する処理を実行する交通信号制御機。
【請求項６】
前記制御部は、
前記交差点の複数の横断方向ごとの横断距離を前記通信部に送信する処理を実行する請求項１〜請求項５のいずれか１項に記載の交通信号制御機。
【請求項７】
前記制御部は、
前記交差点の複数の横断方向ごとの横断に関する注意情報を前記通信部に送信する処理を実行する請求項１〜請求項６のいずれか１項に記載の交通信号制御機。
【請求項８】
歩行者の横断支援を実行する交通信号制御機であって、
筐体と、前記筐体に収容された制御部とを備え、
前記制御部は、
前記歩行者の携帯端末と無線通信する前記筐体外の通信部から、前記歩行者が横断歩道を通過するのに必要な横断方向ごとの横断必要時間を受信する処理と、
受信した横断方向ごとの前記横断必要時間に応じて、歩行者青時間の延長時間を算出する処理と、を実行する交通信号制御機。
【請求項９】
前記制御部は、
前記第１支援を実行する場合に、前記携帯端末の現在位置から前記歩行者の横断完了を判定し、横断完了と判定した時点で歩行者青を打ち切る請求項１〜請求項４いずれか１項に記載の交通信号制御機。
【請求項１０】
前記制御部は、
自機の位置情報を前記通信部に送信する処理を実行する請求項１〜請求項９のいずれか１項に記載の交通信号制御機。
【請求項１１】
前記制御部は、
前記歩行者の属性情報を前記通信部から受信する処理と、
受信した属性情報を車両向けの提供情報として前記通信部に送信させる処理と、を実行する請求項１〜請求項１０のいずれか１項に記載の交通信号制御機。
【手続補正２】
【補正対象書類名】明細書
【補正対象項目名】発明の名称
【補正方法】変更
【補正の内容】
【発明の名称】交通信号制御機
【手続補正３】
【補正対象書類名】明細書
【補正対象項目名】０００１
【補正方法】変更
【補正の内容】
【０００１】
本発明は、交通信号制御機に関する。より具体的には、歩行者青時間の延長などにより歩行者の横断を支援する歩行者支援制御の改良に関する。
【手続補正４】
【補正対象書類名】明細書
【補正対象項目名】０００７
【補正方法】削除
【補正の内容】
【手続補正５】
【補正対象書類名】明細書
【補正対象項目名】００１０
【補正方法】変更
【補正の内容】
【００１０】
＜本発明の実施形態の概要＞  
以下、本発明の実施形態の概要を列記して説明する。
（１）  本実施形態の交通信号制御機は、歩行者の横断支援を実行する交通信号制御機であって、筐体と、前記筐体に収容された制御部とを備え、前記制御部は、前記歩行者の携帯端末と無線通信する前記筐体外の通信部から、交差点の複数の横断方向の中から前記歩行者が選択した横断方向を受信する処理と、受信した横断方向に関する、下記に定義する第１支援及び第２支援の少なくとも１つの横断支援と、を実行する。
【手続補正６】
【補正対象書類名】明細書
【補正対象項目名】００１２
【補正方法】変更
【補正の内容】
【００１２】
本実施形態の交通信号制御機によれば、制御部が、筐体外の通信部から受信した横断方向に関して、第１支援及び第２支援の少なくとも１つを含む横断支援を実行するので、歩行者が選択した横断方向に応じた横断支援を行うことができる。このため、歩行者の意向に沿った適切な横断支援を行うことができる。
【手続補正７】
【補正対象書類名】明細書
【補正対象項目名】００１３
【補正方法】変更
【補正の内容】
【００１３】
（２）  本実施形態の交通信号制御機において、前記制御部は、前記交差点の複数の横断方向のうち、少なくとも受信した横断方向についての青待ち時間及び青残り時間を含む信号情報を算出する処理と、算出した前記信号情報を前記通信部に送信する処理と、を実行することが好ましい。
【手続補正８】
【補正対象書類名】明細書
【補正対象項目名】００１４
【補正方法】変更
【補正の内容】
【００１４】
この場合、少なくとも歩行者が選択した横断方向の青待ち時間及び青残り時間を含む信号情報が通信部を介して携帯端末に送信される。
このため、上記の信号情報を受信した携帯端末が歩行者に当該信号情報を提供することにより、歩行者にとって有益な情報となる、自身が選択した横断方向の信号情報を歩行者に提供することができる。
【手続補正９】
【補正対象書類名】明細書
【補正対象項目名】００１７
【補正方法】変更
【補正の内容】
【００１７】
（５）  本実施形態の交通信号制御機において、前記制御部は、前記歩行者の携帯端末と無線通信する前記筐体外の通信部に、前記交差点の複数の横断方向ごとの歩行者青の最大延長時間を送信することが好ましい。
このようにすれば、最大延長時間の受信側である携帯端末が、当該最大延長時間を用いて、歩行者による横断可否の判定などの処理を行えるようになる。
【手続補正１０】
【補正対象書類名】明細書
【補正対象項目名】００１８
【補正方法】変更
【補正の内容】
【００１８】
（６）  本実施形態の交通信号制御機において、前記制御部は、前記交差点の複数の横断方向ごとの横断距離を前記通信部に送信する処理を実行することが好ましい。
このようにすれば、横断距離の受信側である携帯端末が、当該横断距離を用いて、歩行者の横断必要時間の算出などの処理を行えるようになる。
【手続補正１１】
【補正対象書類名】明細書
【補正対象項目名】００１９
【補正方法】変更
【補正の内容】
【００１９】
（７）  本実施形態の交通信号制御機において、前記制御部は、前記交差点の複数の横断方向ごとの横断に関する注意情報を前記通信部に送信する処理を実行することが好ましい。
このようにすれば、注意情報の受信側である携帯端末が、受信した当該注意情報を歩行者に提供することにより、横断時の注意喚起を行うなどの処理を行えるようになる。
【手続補正１２】
【補正対象書類名】明細書
【補正対象項目名】００２０
【補正方法】変更
【補正の内容】
【００２０】
（８）  本実施形態の交通信号制御機において、前記制御部は、前記歩行者の携帯端末と無線通信する前記筐体外の通信部から、前記歩行者が横断歩道を通過するのに必要な横断方向ごとの横断必要時間を受信する処理と、受信した横断方向ごとの前記横断必要時間に応じて、前記第１支援において延長する歩行者青時間を算出する処理と、を実行することが好ましい。
【手続補正１３】
【補正対象書類名】明細書
【補正対象項目名】００２３
【補正方法】変更
【補正の内容】
【００２３】
（１０）  本実施形態の交通信号制御機において、前記制御部は、自機の位置情報を前記通信部に送信する処理を実行することが好ましい。
このようにすれば、交通信号制御機の位置情報の受信側である携帯端末が、当該位置情報を用いて、交通信号制御機に対する接近判定などの処理を行えるようになる。
【手続補正１４】
【補正対象書類名】明細書
【補正対象項目名】００２４
【補正方法】変更
【補正の内容】
【００２４】
（１１）  本実施形態の交通信号制御機において、前記制御部は、前記歩行者の属性情報を前記通信部から受信する処理と、前記制御部は、受信した属性情報を車両向けの提供情報として前記通信部に送信させる処理と、を実行することが好ましい。
このようにすれば、属性情報の受信側である車両が、横断歩道を歩行中の歩行者の属性情報をドライバに報知することにより、ドライバに対する注意喚起を歩行者の属性ごとに行うことができる。